【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
レーザー光をトラッキングする案内溝からなる情報トラックを備えた基板上に、レーザー光の照射によって情報の記録および再生が行われる記録層を備えた光学式記録媒体であって、
前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報が記録されていることを特徴とする、光学式記録媒体。
【請求項２】
レーザー光をトラッキングする案内溝からなる情報トラックを備えた基板上に、レーザー光の照射によって情報の記録および再生が行われる記録層を備えた光学式記録媒体であって、
前記情報トラックにおける前記レーザー光照射面に近いグルーブ部よりも前記レーザー光照射面から遠いランド部の記録層の膜厚が厚く、前記ランド部を記録トラックとし、前記グルーブ部よりも前記ランド部の方が記録層の膜厚が厚いことを示す記録トラック情報が記録されていることを特徴とする、光学式記録媒体。
【請求項３】
前記記録トラック情報の読み出しに際し、トラッキング制御を必要としないことを特徴とする、請求項１または２記載の光学式記録媒体。
【請求項４】
前記記録トラック情報を記録する識別情報領域を備えることを特徴とする、請求項３記載の光学式記録媒体。
【請求項５】
前記記録トラック情報は、径方向の線の集合であるバーコード状に記録されることを特徴とする、請求項４記載の光学式記録媒体。
【請求項６】
前記記録トラック情報を記録する読み出し専用のリードイン領域を備えることを特徴とする、請求項１または２記載の光学式記録媒体。
【請求項７】
前記記録トラック情報は、前記案内溝を径方向にウォブルさせることによって前記リードイン領域に記録されることを特徴とする、請求項６記載の光学式記録媒体。
【請求項８】
前記記録層に対して、前記基板と反対側の面からレーザー光を照射することを特徴とする、請求項１から７いずれかに記載の光学式記録媒体。
【請求項９】
前記記録層を複数有することを特徴とする、請求項１から８いずれかに記載の光学式記録媒体。
【請求項１０】
前記記録層がスピンコート法によって形成されることを特徴とする、請求項１から９いずれかに記載の光学式記録媒体。
【請求項１１】
前記記録層が有機色素系記録材料からなることを特徴とする、請求項１０記載の光学式記録媒体。
【請求項１２】
レーザー光をトラッキングする案内溝からなる情報トラックを備えた基板上に、レーザー光の照射によって情報の記録および再生が行われる記録層を備えた光学式記録媒体の製造方法であって、
前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報を記録することを特徴とする、光学式記録媒体の製造方法。
【請求項１３】
レーザー光をトラッキングする案内溝からなる情報トラックを備えた基板上に、レーザー光の照射によって情報の記録および再生が行われる記録層を備えた光学式記録媒体の製造法であって、
前記情報トラックにおける前記レーザー光照射面に近いグルーブ部よりも前記レーザー光照射面から遠いランド部の記録層の膜厚が厚く、前記ランド部を記録トラックとし、前記グルーブ部よりも前記ランド部の方が記録層が厚いことを示す記録トラック情報を記録することを特徴とする、光学式記録媒体の製造方法。
【請求項１４】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報が記録されている光学式記録媒体において、
前記光学式記録媒体に記録された記録トラック情報を読み出し、
前記記録トラック情報に基づき、グルーブ部またはランド部のいずれに情報を記録するかを判断し、
前記判断に基づき、情報の記録を行うことを特徴とする、
光学式記録媒体の記録方法。
【請求項１５】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報が記録されている光学式記録媒体において、
前記光学式記録媒体に記録された記録トラック情報を読み出し、
前記記録トラック情報に基づき、グルーブ部またはランド部のいずれに情報が記録されているかを判断し、
前記判断に基づき、情報の再生を行うことを特徴とする、
光学式記録媒体の再生方法。
【請求項１６】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報が記録されている光学式記録媒体にレーザー光を照射することによって、情報の記録を行う記録装置であって、
前記光学式記録媒体に記録された記録トラック情報を読み出す読み出し部と、
前記記録トラック情報に基づき、グルーブ部またはランド部のいずれに情報が記録されているかを判断する判断部と、
前記判断に基づき、情報の記録を行う記録部と、
を備えた情報記録装置。
【請求項１７】
レーザー光をトラッキングする案内溝からなる情報トラックを備えた基板上に、レーザー光の照射によって情報の記録および再生が行われる記録層を備えており、前記情報トラックにおける前記レーザー光照射面に近いグルーブ部と前記レーザー光照射面から遠いランド部のうち記録層の膜厚が厚い方を記録トラックとし、前記グルーブ部と前記ランド部のどちらが記録層の膜厚が厚いかを示す記録トラック情報が記録されている光学式記録媒にレーザー光を照射することによって、情報の再生を行う情報再生装置であって、
前記光学式記録媒体に記録された記録トラック情報を読み出す読み出し部と、
前記記録トラック情報に基づき、グルーブ部またはランド部のいずれに情報が記録されているかを判断する判断部と、
前記判断に基づき、情報の再生を行う再生部と、
を備えた情報再生装置。
【手続補正２】
【補正対象書類名】明細書
【補正対象項目名】００１０
【補正方法】変更
【補正の内容】
【００１０】
上記目的を達成するために本発明の光学式記録媒体は、レーザー光をトラッキングする案内溝からなる情報トラックを備えた円盤状の基板上に、レーザー光の照射によって情報の記録および再生が行われる記録層を備えた光学式記録媒体であって、情報トラックにおけるレーザー光照射面に近いグルーブ部とレーザー光照射面から遠いランド部のうち記録層の膜厚が厚い方を記録トラックとし、グルーブ部とランド部のどちらが記録層の膜厚が厚いかを示す記録トラック情報が予め記録されていることを特徴とする。
【手続補正３】
【補正対象書類名】明細書
【補正対象項目名】００１１
【補正方法】変更
【補正の内容】
【００１１】
これにより、使用時に記録トラック情報を読み出し、グルーブ部かランド部かを選択することで、良好な信号品質で情報を記録／再生することが可能となる。
上記目的を達成するために本発明の光学式記録媒体は、情報トラックにおけるレーザー光照射面に近いグルーブ部よりもレーザー光照射面から遠いランド部の記録層の膜厚が厚く、ランド部を記録トラックとし、グルーブ部よりもランド部の方が記録層が厚いことを示す記録トラック情報が予め記録されていることを特徴とする。
【手続補正４】
【補正対象書類名】明細書
【補正対象項目名】００２０
【補正方法】変更
【補正の内容】
【００２０】
（実施例１）
図１に本実施例１における、情報トラックにおけるグルーブ部とランド部のどちらが記録層の膜厚が厚いか、あるいはランド部の記録層の膜厚が厚いことを示す記録トラック情報が、識別情報領域にバーコード状に記録されている光学式記録媒体１０１を示す。
【手続補正５】
【補正対象書類名】明細書
【補正対象項目名】００２３
【補正方法】変更
【補正の内容】
【００２３】
テスト記録領域１０５および情報記録領域１０６には、トラックピッチ約０．３２μｍの溝によって構成される、記録／再生時にレーザー光をトラッキングする情報トラック１０７が設けられている。識別情報領域１０３には、情報トラック１０７におけるレーザー光照射面に近いグルーブ部とレーザー光照射面から遠いランド部のどちらが記録層の膜厚が厚いか、あるいはランド部の記録層の膜厚が厚いことを示す記録トラック情報が、径方向の線の集合であるバーコード状に記録されている。リードイン領域１０４には、トラックピッチ約０．３５μｍの溝を径方向に蛇行（ウォブル）させ、その空間周波数を変調して再生専用の情報が記録されている。
【手続補正６】
【補正対象書類名】明細書
【補正対象項目名】００２５
【補正方法】変更
【補正の内容】
【００２５】
以上の構成により、本発明における光学式記録媒体１０１は、使用時に前記記録トラック情報を読み出して、グルーブ部かランド部のいずれか記録層の膜厚が厚い方を選択することで、良好な信号品質で情報を記録／再生することが可能となる。さらに、記録トラック情報がバーコード状に記録されているため、記録媒体を回転させながらレーザー光の焦点を記録層に合わせるだけで、トラッキング制御を行うことなく記録トラック情報を読み出すことが可能となる。したがって、リードイン領域１０４の情報をグルーブ部とランド部のどちらに記録しても良く、情報記録領域１０６と同じ溝部を使用できるため、基板の作成や記録／再生装置の制御が容易となる。
【手続補正７】
【補正対象書類名】明細書
【補正対象項目名】００２９
【補正方法】変更
【補正の内容】
【００２９】
また、テスト記録領域は情報記録領域の外周側に設けても良い。さらに、テスト記録領域を情報記録領域の内周側と外周側の両方に設けることにより、記録媒体の半径位置によって記録特性分布がばらつくことを補償することができる。
（実施例２）
図２に本実施例２における、情報トラックにおけるグルーブ部とランド部のどちらが記録層の膜厚が厚いか、あるいはランド部の記録層の膜厚が厚いことを示す記録トラック情報が、リードイン領域に記録されている光学式記録媒体２０１を示す。図１で説明した実施例１における光学式記録媒体と一部を除いて同じ構造を有する。
【手続補正８】
【補正対象書類名】明細書
【補正対象項目名】００３２
【補正方法】変更
【補正の内容】
【００３２】
テスト記録領域２０５および情報記録領域２０６には、トラックピッチ約０．３２μｍの溝によって構成される、記録／再生時にレーザー光をトラッキングする情報トラック２０７が設けられている。リードイン領域２０４は、トラックピッチ約０．３５μｍの溝を径方向に蛇行（ウォブル）させ、その空間周波数を変調して、情報トラック２０７におけるレーザー光照射面に近いグルーブ部とレーザー光照射面から遠いランド部のどちらが記録層の膜厚が厚いか、あるいはランド部の記録層の膜厚が厚いことを示す記録トラック情報を記録した媒体情報トラック２１７を備えている。媒体情報トラック２１７は、グルーブ部にトラッキングしたときに記録トラック情報が再生可能となるようにウォブルさせる。テスト記録領域２０５および情報記録領域２０６の情報トラック２０７に一定の周波数変調を行い、径方向に蛇行（ウォブル）させてアドレス情報を記録するとともに、このウォブルから得られる信号に基づいて記録／再生装置のスピンドルモーターの回転を制御する。ここで、グルーブ部に記録するタイプの記録媒体では、グルーブ部をウォブルさせて情報トラックを形成し、グルーブ部にトラッキングしたときに再生専用情報やアドレス情報を読みとり可能とする。ランド部に記録するタイプの記録媒体では、ランド部をウォブルさせて情報トラックを形成し、ランド部にトラッキングしたときに再生専用情報やアドレス情報を読みとり可能とする。
【手続補正９】
【補正対象書類名】明細書
【補正対象項目名】００３３
【補正方法】変更
【補正の内容】
【００３３】
以上の構成により、本発明における光学式記録媒体２０１は、使用時にリードイン領域２０４のグルーブ部にトラッキングし、記録トラック情報を読み出して、グルーブ部かランド部のいずれか記録層の膜厚が厚い方を選択することで、グルーブ部とランド部のどちらに記録するタイプの記録媒体であっても良好な信号品質で情報を記録／再生することが可能となる。
【手続補正１０】
【補正対象書類名】明細書
【補正対象項目名】００３６
【補正方法】変更
【補正の内容】
【００３６】
記録層３３５の詳細を図３（ｂ）に示す。記録層３３５は、図１に示した実施例１と同様に、半径約２１ｍｍから２２ｍｍの位置に設けられた、記録媒体の識別情報などを記録した識別情報領域３０３、半径約２２ｍｍから２３ｍｍの位置に設けられた再生専用のリードイン領域３０４、半径約２３ｍｍから２４ｍｍの位置に設けられた、最適なパルス条件を求める学習動作を行うためのテスト記録領域３０５、半径約２４ｍｍから５８ｍｍの位置に設けられた、情報を記録する情報記録領域３０６を有している。テスト記録領域３０５および情報記録領域３０６には、トラックピッチ約０．３２μｍの溝によって構成され、記録／再生時にレーザー光をトラッキングする情報トラック３０７が設けられている。識別情報領域３０３には、少なくとも情報トラック３０７におけるレーザー光照射面に近いグルーブ部とレーザー光照射面から遠いランド部のどちらが記録層の膜厚が厚いか、あるいはランド部の記録層の膜厚が厚いことを示す記録トラック情報が、径方向の線の集合であるバーコード状に記録されている。リードイン領域３０４には、トラックピッチ約０．３５μｍの溝を径方向に蛇行（ウォブル）させ、その空間周波数を変調して再生専用の情報を記録している。
【手続補正１１】
【補正対象書類名】明細書
【補正対象項目名】００５０
【補正方法】変更
【補正の内容】
【００５０】
本発明にかかる光学式記録媒体、その製造方法、記録／再生方法、および記録／再生装置は、グルーブ部とランド部のどちらが記録層の膜厚が厚いか、あるいはランド部の記録層の膜厚が厚いことを示す記録トラック情報を記録媒体に記録しておくことにより、記録媒体のタイプに応じてグルーブ部とランド部のうち情報の記録に適したどちらか一方を選択し、良好な信号品質で情報を記録／再生することができるという効果を有し、大容量の情報記録装置等に有用である。